(57)【要約】【課題】操作性が良好でかつ施錠、解錠状態が容易には視認できない框内蔵錠を提供する。【解決手段】掛部１３は室内側に向かって延出される延出片１４を備え、操作ユニット１１は召合せ框２０の室内面に取付固定される凹状のガイド部４０と、延出片１４の室内端部に固定されて掛部１３を室内側から操作自在とする操作部４１とを備え、ガイド部４０は室内側に開口する開口面４０ｄを有し、開口面４０ｄの両側部には開閉羽根部４２が開閉自在に設けられると共に、開閉羽根部４２は開口面４０ｄを閉塞する方向に付勢され、操作部４１は掛部１３が受部５に係合している状態において、ガイド部４０内に配置されて室内面が開閉羽根部４２と略面一状とされ、掛部１３が受部５から係合解除された状態において、ガイド部４０内であって開閉羽根部４２により閉塞された領域に納められる。【選択図】図３
2009155976.tif 000002
【特許請求の範囲】
【請求項１】
枠体内に設けられる内外障子のうち内障子の召合せ框に内蔵されるものであって、前記外障子に設けられる受部に対して係脱自在な掛部を有した錠ユニットと、該錠ユニットの掛部と連係して操作自在とする操作部を有した操作ユニットとを備えた框内蔵錠において、
前記錠ユニットは固定基部に前記掛部が回動自在に取付けられてなり、前記錠ユニットの掛部は室内側に向かって延出される延出片を備え、前記操作ユニットは前記召合せ框の室内面に取付固定される凹状のガイド部と、前記延出片の室内端部に固定されて前記掛部を室内側から操作自在とする前記操作部とを備え、
前記ガイド部は室内側に開口する開口面を有し、該開口面の両側部には開閉羽根部が開閉自在に設けられると共に、該開閉羽根部は前記開口面を閉塞する方向に付勢され、
前記操作部は前記掛部が受部に係合している状態において、前記ガイド部内に配置されて室内面が前記開閉羽根部と略面一状とされ、前記掛部が受部から係合解除された状態において、前記ガイド部内であって前記開閉羽根部により閉塞された領域に納められることを特徴とする框内蔵錠。
【請求項２】
前記ガイド部の開口面は前記掛部が受部に係合した状態における前記操作部の位置と端部との間が開口する大きさに形成されたことを特徴とする請求項１記載の框内蔵錠。
【請求項３】
前記操作部は前記開閉羽根部を押圧して開放状態とする押圧部を有することを特徴とする請求項１または２記載の框内蔵錠。
【請求項４】
前記延出片には、該延出片の回動に伴い前記操作部が前記ガイド部の外方に位置した際、前記開閉羽根部を開放状態が維持されるように押圧するコマ片が設けられることを特徴とする請求項３記載の框内蔵錠。
【発明の詳細な説明】
【技術分野】
【０００１】
本発明は引き違い状の内外障子のうち内障子の召合せ框に設けられる框内蔵錠に関し、特に外障子に設けられる受部に係脱する掛部を有した錠ユニットと召合せ框の室内側に露出して掛部を操作自在とする操作ユニットとからなる框内蔵錠に関する。
【背景技術】
【０００２】
内外障子を引き違い状としてなるサッシにおいて、内障子の召合せ框に框内蔵錠を設け、外障子の召合せ框には受部を設け、框内蔵錠を操作することでその内部に設けられた掛部が受部に係脱し、施錠及び解錠を行うものが知られている。框内蔵錠は、掛部とそれを操作する操作部とを有し、操作部は室内側に露出して、操作者が室内側から操作することができるようにされている。このような框内蔵錠を有した引き違い障子のサッシは例えば特許文献１に挙げるようなものがある。
【特許文献１】特開２００６−１１８１３６号公報
【発明の開示】
【発明が解決しようとする課題】
【０００３】
従来の框内蔵錠は、室内側に露出する操作レバーを上下に回動操作することにより、障子の施錠、解錠操作を容易に行うことができるものである。しかし、従来の框内蔵錠では操作レバーの位置を室外側から目視することで、障子が施錠状態であるか解錠状態であるかを容易に視認することができる。したがって、必ずしも防犯性が高いとは言えないものであった。このため、操作性が良好でかつ施錠、解錠状態が容易には視認できない框内蔵錠が望まれていた。
【０００４】
本発明は、上記課題を解決すべくなされたものであり、操作性が良好でかつ施錠、解錠状態が容易には視認できない框内蔵錠を提供することを目的とする。
【課題を解決するための手段】
【０００５】
上記課題を解決するため、本発明に係る框内蔵錠は、枠体内に設けられる内外障子のうち内障子の召合せ框に内蔵されるものであって、前記外障子に設けられる受部に対して係脱自在な掛部を有した錠ユニットと、該錠ユニットの掛部と連係して操作自在とする操作部を有した操作ユニットとを備えた框内蔵錠において、
前記錠ユニットは固定基部に前記掛部が回動自在に取付けられてなり、前記錠ユニットの掛部は室内側に向かって延出される延出片を備え、前記操作ユニットは前記召合せ框の室内面に取付固定される凹状のガイド部と、前記延出片の室内端部に固定されて前記掛部を室内側から操作自在とする前記操作部とを備え、
前記ガイド部は室内側に開口する開口面を有し、該開口面の両側部には開閉羽根部が開閉自在に設けられると共に、該開閉羽根部は前記開口面を閉塞する方向に付勢され、
前記操作部は前記掛部が受部に係合している状態において、前記ガイド部内に配置されて室内面が前記開閉羽根部と略面一状とされ、前記掛部が受部から係合解除された状態において、前記ガイド部内であって前記開閉羽根部により閉塞された領域に納められることを特徴として構成されている。
【０００６】
また、本発明に係る框内蔵錠は、前記ガイド部の開口面は前記掛部が受部に係合した状態における前記操作部の位置と端部との間が開口する大きさに形成されたことを特徴として構成されている。
【０００７】
さらに、本発明に係る框内蔵錠は、前記操作部は前記開閉羽根部を押圧して開放状態とする押圧部を有することを特徴として構成されている。
【０００８】
さらにまた、本発明に係る框内蔵錠は、前記延出片には、該延出片の回動に伴い前記操作部が前記ガイド部の外方に位置した際、前記開閉羽根部を開放状態が維持されるように押圧するコマ片が設けられることを特徴として構成されている。
【発明の効果】
【０００９】
本発明に係る框内蔵錠によれば、操作ユニットは召合せ框の室内面に取付固定される凹状のガイド部と、延出片の室内端部に固定されて掛部を室内側から操作自在とする操作部とを備え、ガイド部は室内側に開口する開口面を有し、開口面の両側部には開閉羽根部が開閉自在に設けられると共に、開閉羽根部は開口面を閉塞する方向に付勢され、操作部は掛部が受部に係合している状態において、ガイド部内に配置されて室内面が開閉羽根部と略面一状とされ、掛部が受部から係合解除された状態において、ガイド部内であって開閉羽根部により閉塞された領域に納められることにより、施錠状態と解錠状態のいずれにおいても、操作部は凹状のガイド部内に納まった状態であり、内外障子の施錠状態では開閉羽根部と略面一状、解錠状態では開閉羽根部に覆われることとなるため、意匠性を良好にすることができると共に、室外側から操作部の状態を視認することを困難とすることができるので、防犯性を高めることができる。また、操作部の操作が直接延出片を回動させることとなるので、施錠・解錠操作を容易に行うことができる。
【００１０】
また、本発明に係る框内蔵錠によれば、ガイド部の開口面は掛部が受部に係合した状態における操作部の位置と端部との間が開口する大きさに形成されたことにより、施錠状態において開閉羽根部と略面一状となる操作部を、開口部分に指を差し入れることで容易に引き出して操作することができる。
【００１１】
さらに、本発明に係る框内蔵錠によれば、操作部は開閉羽根部を押圧して開放状態とする押圧部を有することにより、操作部を操作するだけで、開閉羽根部を容易に開放状態とすることができ、操作をより容易なものとすることができる。
【００１２】
さらにまた、本発明に係る框内蔵錠によれば、延出片には、延出片の回動に伴い操作部がガイド部の外方に位置した際、開閉羽根部を開放状態が維持されるように押圧するコマ片が設けられることにより、操作部がガイド部の外方に位置した際に、操作部により押圧されていた開閉羽根部が一旦閉塞することを防止し、スムーズに操作を行えるようにすることができる。
【発明を実施するための最良の形態】
【００１３】
本発明の実施形態について、図面に沿って詳細に説明する。図１は本実施形態の框内蔵錠を有したサッシを室内側から見た正面図である。この図に示すように、サッシは、建物開口部に方形状の枠体１を設け、その内部に内障子２と外障子３を引き違い状に納めてなるものである。このうち内障子２の召合せ框２０に框内蔵錠４が設けられる。一方、外障子３の召合せ框２０には受部５が設けられる。
【００１４】
図２には、召合せ框２０付近の横断面図を示している。この図に示すように、内障子２と外障子３の召合せ框２０には、ガラス体２２が取付固定されている。ガラス体２２を納めるために召合せ框２０は、内周面にガラス挿入溝２３を有している。また、ガラス挿入溝２３よりも外周側には、中空部２４を有している。
【００１５】
内障子２の召合せ框２０は、中空部２４が室内側に張り出しており、召合せ框２０の断面積が大きくなるようにしている。これによって召合せ框２０の強度を大きくすると共に、張り出した部分に手をかけて内障子２を開閉しやすいようにしている。また、内障子２の召合せ框２０に形成される中空部２４に框内蔵錠４が納められる。
【００１６】
外障子３の召合せ框２０は、室内側面に受部５を有している。受部５は、内障子２の框内蔵錠４に設けられる掛部１３が係脱するものであり、掛部１３が受部５に係合することで内障子２と外障子３が施錠状態に、掛部１３が受部５から係合解除されることで内障子２と外障子３が解錠状態になる。受部５は、掛部１３が係合することのできる係合部５ａと、框内蔵錠４側に設けられる回動ロック部１５のロック状態を解除する当接部５ｂとを有して構成されている。
【００１７】
図３には、内障子２と外障子３の召合せ部分における内部構造を表した側面図を示している。この図に示すように、内障子２の召合せ框２０に納められる框内蔵錠４は、受部５と係脱自在な掛部１３を有する錠ユニット１０と、掛部１３と連係してこれを操作する操作部１７を有した操作ユニット１１とからなっている。
【００１８】
錠ユニット１０は、召合せ框２０に対して固定するための固定基部１２に、掛部１３が回動自在に支持されて構成されている。また、掛部１３には室内側に向かって延出する延出片１４が設けられている。錠ユニット１０の掛部１３は、鎌状に形成されて回動に伴い受部５の係合部５ａに係脱することができる。また、錠ユニット１０には回動ロック部１５が設けられており、図３に示す内障子２と外障子３が閉じた状態においては、回動ロック部１５が受部５の当接部５ｂに当接しており、掛部１３の回動に対するロックが解除された状態となっている。
【００１９】
操作ユニット１１は、召合せ框２０の室内面に取付けられるガイド部４０と、錠ユニット１０の延出片１４に取付けられる操作部４１とを有している。ガイド部４０は、室内側に開口する開口面４０ｄを有し、召合せ框２０の室内面に取付けられることで、召合せ框２０の室内面に凹状の領域を形成する。ガイド部４０の開口と対向する底面側には、凸状に形成された凸状壁部４０ａが形成されており、凸状壁部４０ａとその上下部に渡るようにスリット状の挿通孔４０ｂが形成されている。錠ユニット１０の掛部１３に設けられる延出片１４は、ガイド部４０の挿通孔４０ｂに挿通され、その上端に当接する位置から下端に当接する位置に渡って回動することができる。
【００２０】
図４には、内障子２の召合せ框２０と錠ユニット１０及び操作ユニット１１の分解横断面図を示している。召合せ框２０には、室内面に室内開口部２６が形成されており、また室外面には室外開口部２５が形成されている。錠ユニット１０は、召合せ框２０の室外開口部２５から中空部２４内に挿入されて固定される。一方、操作ユニット１１を構成するガイド部４０は、召合せ框２０の室内開口部２６から中空部２４内に挿入されて固定される。
【００２１】
操作ユニット１１を構成する操作部４１は、ガイド部４０により形成される凹状の領域に納められる小片状の部品からなり、延出片１４の端部と連結される。図５には操作部４１の側面図及び底面図を示している。図５（ａ）が操作部４１の側面図、図５（ｂ）が操作部４１の底面図である。図５（ａ）に示すように、操作部４１は、室内側に面する前面部４１ｃと、前面部４１ｃの背面側に指を引っ掛けて操作できるように形成した曲面部４１ｂとを有している。また、ガイド部４０に形成される係合孔４０ｃに係合する係合部４１ｄを有している。さらに、前面部４１ｃよりも背面側の領域は、下端面を先端とする断面略Ｖ字状に形成されており、後述する開閉羽根部４２を押圧する押圧部４１ｅとされている。操作部４１の下端面は、前面部４１ｃから背面側に向かって下方傾斜状の傾斜面とされる領域と、それよりも背面側で上方傾斜状の傾斜面とされる領域とがあり、押圧部４１ｅはこのうち下方傾斜状の傾斜面の領域に形成される。
【００２２】
図５（ｂ）に示すように、操作部４１の下端面であって背面側に向かって上方傾斜状とされた領域には、延出片１４の室内端部を挿入保持することのできる凹状の連係部４１ａが形成されている。ここで、連係部４１ａは操作部４１の左右方向中央位置よりも一方側に偏った位置に設けられている。連係部４１ａの偏った一方側は、延出片１４に操作部４１を取付けた状態において、召合せ框２０の外周面側寄りに相当している。図６には、操作ユニット１１の正面図を示している。この図に示すように、延出片１４を挿通させる挿通孔４０ｂは、召合せ框２０の外周面側寄りに偏って配置されている。
【００２３】
連係部４１ａに延出片１４の端部を挿入固定することにより、図２に示すように、錠ユニット１０を召合せ框２０の外周面寄りに配置しつつ、操作部４１を召合せ框２０の左右方向中央位置に配置することができる。したがって、操作部１７が召合せ框２０の室内面において一方側に偏って配置されることによる意匠性の低下を防止することができる。
【００２４】
操作部４１において連係部４１ａの左右には、それぞれコマ片４３が回動自在に設けられる。コマ片４３は、操作部４１の連係部４１ａが形成されている面に形成される凹状部４１ｆに端部が納められるように延出片１４に対して取付けられる。連係部４１ａは前述のように一方側に偏って配置されているので、左右のコマ片４３はそれぞれ厚みが異なるように形成される。図３に示すように、掛部１３が受部５に係合した状態においては、コマ片４３はガイド部４０の底面に当接している。
【００２５】
図６に示すように、ガイド部４０の開口面４０ｄの両端部には、操作部４１が配置される位置より下方領域を覆うように開閉羽根部４２が設けられている。開閉羽根部４２は、左右２枚が設けられており、ガイド部４０の側壁側において、ガイド部４０の内側に向かって開閉自在となるように保持されている。また、この保持において開閉羽根部４２は開口面４０ｄを閉塞する方向に付勢されている。図３に示すように、開閉羽根部４２の上端部には、ガイド部４０の内側に向かって傾斜する傾斜面部４２ａが形成されている。
【００２６】
図６に示すように、掛部１３が受部５に係合した状態において、操作部４１はガイド部４０の内部であって上方部に配置される。また、その室内面は閉塞した状態にある開閉羽根部４２と略面一状となっている。このように操作部４１がガイド部４０から突出することなくガイド部４０に納まっているので、室内側からの意匠性を高くすることができると共に、内障子２と外障子３の施錠状態において室外側からその状態を視認することを困難としているので、防犯性を高めることができる。
【００２７】
ガイド部４０の開口面４０ｄは、掛部１３が受部５に係合した状態において、操作部４１からガイド部４０の上端部までが開口しており、この開口部分から指を差し入れて操作部４１を手前に引くように操作することができる。図７には、操作部４１を開閉の中間位置まで操作した状態の内障子２と外障子３の召合せ部分における内部構造を表した側面図を示している。
【００２８】
図７に示すように、操作部４１を下方に押し下げることにより、延出片１４を有する掛部１３は受部５に対する係合状態を解除する方向に回動する。また、操作部４１を図３の状態から手前側に引くと、操作部４１に形成された押圧部４１ｅが開閉羽根部４２の傾斜面部４２ａを押圧し、開閉羽根部４２を開放状態とする。さらに操作部４１を押し下げると、図７のように操作部４１はガイド部４０の外方に移動して、押圧部４１ｅは開閉羽根部４２に当接しなくなるが、コマ片４３によって開閉羽根部４２の開放状態を維持することができる。
【００２９】
図８には、操作部４１を下端位置まで操作した状態の内障子２と外障子３の召合せ部分における内部構造を表した側面図を示している。この図に示すように、操作部４１が再びガイド部４０内に納まる位置までこれを押し下げると、掛部１３はさらに回動して受部５に対する係合状態が解除される。すなわち、内障子２と外障子３が解錠状態となる。また、この状態では操作部４１が完全にガイド部４０内に納まった状態となるため、開閉羽根部４２は、保持部分における付勢により閉塞する。これによって、操作部４１はガイド部４０内であって開閉羽根部４２により閉塞された領域に納められて、室内側からは見えないようにすることができる。開放状態から内障子２と外障子３を施錠するには、指をガイド部４０内に差し入れることで開閉羽根部４２を開放し、操作部４１の前面部４１ｃを押し上げるように操作すればよい。
【００３０】
このように操作ユニット１１を本実施形態のガイド部４０と操作部４１で構成したことにより、施錠状態と解錠状態のいずれにおいても、操作部４１はガイド部４０内に納められることとなり、操作部４１の状態を室外側から視認することができないようにすることができるので、防犯性を高めた框内蔵錠とすることができる。また、操作部４１は施錠状態においてはガイド部４０の開閉羽根部４２と略面一状となり、解錠状態においてはガイド部４０内に配置されて開閉羽根部４２により覆われることとなるので、いずれの状態においても意匠性を良好にすることができる。
【００３１】
図８に示すように、掛部１３が受部５から係合解除された状態では、回動ロック部１５のロック部１５ｃが、延出片１４の凹部１４ａに形成された係合孔１４ｂの位置に配置される。ただし、図８は内障子２と外障子３が閉じた状態を示しており、前述のようにこの状態においては回動ロック部１５が受部５の当接部５ｂに当接しているために、掛部１３の回動に対するロックが解除された状態となっている。
【００３２】
回動ロック部１５の動作について、より詳細に説明する。図９には、内障子２と外障子３の開閉前後における各召合せ框２０の横断面図を示している。図９（ａ）は内障子２または外障子３あるいは両方が開いている状態を表しており、図９（ｂ）は内障子２と外障子３が閉じた状態を表している。図９（ａ）に示すように、内外の召合せ框２０が離れている状態において、錠ユニット１０の回動ロック部１５は、固定基部１２に対して傾斜状となっている。図８に示すように回動ロック部１５は、固定基部１２に上下方向を軸として揺動自在に保持された揺動軸部１５ａと、揺動軸部１５ａから受部５側に向かって延びる検出部１５ｂと、揺動軸部１５ａから室内側に向かって延びるロック部１５ｃとを有している。
【００３３】
揺動軸部１５ａは、図９（ａ）に示す傾斜方向に対し弾性的に付勢されて固定基部１２に保持されている。検出部１５ｂは、先端に内障子２の走行方向に略面する当接面１５ｄを有しており、その先端部が召合せ框２０の室外面に当接することにより、回動ロック部１５が付勢に抗して停止した状態となっている。また、回動ロック部１５のロック部１５ｃは、先端が略Ｌ字状に形成されている。延出片１４には凹部１４ａが形成されると共に、図８に示すように凹部１４ａの底面には係合孔１４ｂが形成されている。図９（ａ）においては、回動ロック部１５のロック部１５ｃにおける先端部が、延出片１４の係合孔１４ｂに係合している。これにより、延出片１４は掛部１３共々回動することができず、操作部１７も動かすことができないようにされている。すなわち、図９（ａ）では掛部１３がロック状態となっている。
【００３４】
受部５に形成される当接部５ｂは、外障子３の走行方向に面すると共に、内障子２の回動ロック部１５に形成される当接面１５ｄと対向している。図８に示すように、当接部５ｂは受部５とは異なる高さ位置に形成されており、当接部５ｂ及び当接面１５ｄの接離において係合部５ａや掛部１３と干渉しないようにされている。図９（ｂ）に示すように、内障子２と外障子３が閉じた状態となると、受部５に形成された当接部５ｂが回動ロック部１５の当接面１５ｄに当接する。それに伴い、回動ロック部１５は揺動軸部１５ａにおける付勢に対抗して揺動し、ロック部１５ｃの係合孔１４ｂに対する係合が解除される。これによって、延出片１４は掛部１３共々回動することができるようになるので、操作部１７の操作により掛部１３を受部５に対して係合するように回動させることができる。すなわち、図９（ｂ）では掛部１３がロック解除状態となっている。
【００３５】
このように、外障子３の召合せ框２０側に、外障子３の走行方向に面する当接部５ｂを設け、内障子２の召合せ框２０に設けられる錠ユニット１０に、当接部５ｂと対向する当接面１５ｄと、延出片１４と係脱するロック部１５ｃを有する回動ロック部１５を設け、回動ロック部１５はロック部１５ｃが延出片１４と係合する方向に付勢され、内障子２と外障子３が閉じた状態で当接面１５ｄが当接部５ｂに当接し、回動ロック部１５が揺動してロック部１５ｃの延出片１４に対する係合が解除されるようにしたことで、内障子２と外障子３が閉じた状態のとき以外は、回動ロック部１５が掛部１３の回動をロックしているので、簡易な機構により錠に空掛け防止機能を持たせることができる。
【００３６】
以上、本発明の実施形態について説明したが、本発明の適用は本実施形態には限られず、その技術的思想の範囲内において様々に適用されうるものである。
【図面の簡単な説明】
【００３７】
【図１】本実施形態における框内蔵錠を有するサッシを室内側から見た正面図である。
【図２】召合せ框付近の横断面図である。
【図３】内障子と外障子の召合せ部分における内部構造を表した側面図である。
【図４】内障子の召合せ框と錠ユニット及び操作ユニットの分解横断面図である。
【図５】操作部の側面図及び底面図である。
【図６】操作ユニットの正面図である。
【図７】操作部を開閉の中間位置まで操作した状態の内障子と外障子の召合せ部分における内部構造を表した側面図である。
【図８】操作部を下端位置まで操作した状態の内障子と外障子の召合せ部分における内部構造を表した側面図である。
【図９】内障子と外障子の開閉前後における各召合せ框の横断面図である。
【符号の説明】
【００３８】
１    枠体
２    内障子
３    外障子
４    框内蔵錠
５    受部
５ａ  係合部
５ｂ  当接部
１０    錠ユニット
１１    操作ユニット
１２    固定基部
１３    掛部
１４    延出片
１４ｃ  ピン部
１５    回動ロック部
１５ｂ  検出部
１５ｃ  ロック部
１５ｄ  当接面
２０    召合せ框
２４    中空部
２５    室外開口部
２６    室内開口部
３０    連係部
３０ａ  長孔
３２    ロック操作部
３２ｂ  係合突起
４０    ガイド部
４０ａ  凸状壁部
４０ｂ  挿通孔
４０ｃ  係合孔
４１    操作部
４１ａ  連係部
４１ｂ  曲面部
４１ｃ  前面部
４１ｄ  係合部
４１ｅ  押圧部
４１ｆ  凹状部
４２    開閉羽根部
４２ａ  傾斜面部
４３    コマ片
【図１】
2009155976.tif 000003
【図２】
2009155976.tif 000004
【図３】
2009155976.tif 000005
【図４】
2009155976.tif 000006
【図５】
2009155976.tif 000007
【図６】
2009155976.tif 000008
【図７】
2009155976.tif 000009
【図８】
2009155976.tif 000010
【図９】
2009155976.tif 000011